(57)【特許請求の範囲】
【請求項１】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備えることを特徴とする光増幅中継システム。
【請求項２】
前記光カプラは、前記光増幅器の出力側の前記光伝送回線に配置されることを特徴とする請求項１に記載の光増幅中継システム。
【請求項３】
前記光カプラは、前記光増幅器の入力側の前記光伝送回線に配置されることを特徴とする請求項１に記載の光増幅中継システム。
【請求項４】
前記可変光減衰器の両側に波長選択型反射手段を配置し、該両波長選択型反射手段は、それぞれ異なる波長の光を反射して対向回線に転送することを特徴とする請求項１乃至３の何れかに記載の光増幅中継システム。
【請求項５】
前記監視信号光折返し回路は、それぞれ前記対向する光伝送回線の一方の前記光増幅器の出力側を他方の光伝送回線の前記光増幅器の入力側に転送する１対の回路で構成されることを特徴とする請求項１に記載の光増幅中継システム。
【請求項６】
前記監視信号光折返し回路に挿入された信号光は、別の光カプラおよび波長の異なる波長選択型反射手段を介して対向光伝送回線に転送することを特徴とする請求項１乃至５の何れかに記載の光増幅中継システム。
【請求項７】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、一つの光伝送回線の光カプラにより分岐・反射された監視信号光を対向の光伝送回線の光増幅器の出力側に光カプラを介して転送することを特徴とする光増幅中継システム。
【請求項８】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記監視信号折返し回路を前記光増幅器の入力側に設けたことを特徴とする光増幅中継システム。
【請求項９】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光増幅器の出力側にて光カプラで分岐・反射された監視信号光を、光カプラで対向の光増幅器の入力側を介して対向の光伝送回線に転送することを特徴とする光増幅中継システム。
【請求項１０】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、各光増幅器の出力側および入力側に、それぞれ光カプラを設けて、分岐・反射された監視信号光をそれぞれ対向の光増幅器の出力側・入力側を介して対向の光伝送回線に転送することを特徴とする光増幅中継システム。
【請求項１１】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光増幅器の出力側の光カプラにて分岐・反射された監視信号光を、光カプラを介して対向の前記光増幅器の入力側を介して対向の光伝送回線に転送するとともに、前記光増幅器の入力側にて分岐・反射された監視信号光を対向の光増幅器の出力側を介して対向の光伝送回線に転送することを特徴とする光増幅中継システム。
【請求項１２】
対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光カプラを介して前記監視信号折返し回路に挿入された信号光は、他の光カプラにより分岐し、それぞれ波長の異なる複数の波長選択型反射手段により反射して対向回線に転送することを特徴とする光増幅中継システム。
【請求項１３】
前記可変光減衰器の前後に、それぞれ波長選択型反射手段を設けることを特徴とする請求項７乃至１２のいずれかに記載の光増幅中継システム。
【請求項１４】
前記監視信号光折返し回路の中段に光アイソレータを設け、前記波長選択型反射手段に光ファイバグレーティングを使用したことを特徴とする請求項１乃至１３のいずれかに記載の光増幅中継システム。
【発明の詳細な説明】
【０００１】
【発明の属する技術分野】
本発明は光増幅中継システム、特に光ファイバ伝送回線等における光信号を増幅すると共に伝送回線状態を監視する光増幅中継システムに関する。
【０００２】
【従来の技術】
光ファイバを使用する光通信は、従来の銅線を使用する電気信号による電気通信に比較して種々の利点を有する。特に、高速大容量通信が可能であると共に、電磁ノイズ等の耐ノイズ特性が優れている。光通信には、極めて細い光ファイバケーブルによりレーザ光線等のコヒーレント光線を伝送させる。光ファイバケーブルの光減衰度は低いので、長距離伝送が可能であるが、信号品質を維持するために所定間隔で光増幅中継器を設けて光信号を増幅する。斯かる技術分野の従来技術は、例えば特開平９−１１６５０２号公報の「監視用ループバック回路を有する高出力光増幅中継器」、特開平９−１５３８６２号公報の「光増幅中継伝送システムの監視方法」、特開平９−１９１２９１号公報の「光伝送監視方法」および特開２０００−５９３０６号公報の「光増幅中継器」等に開示されている。
【０００３】
図１７は、従来の光増幅中継器（又は光増幅中継システム）の構成を示すブロック図である。この光増幅中継器１は、第１光増幅器２ａ、第２光増幅器２ｂ、第１（光）カプラ３ａ、第２カプラ３ｂ、第１波長選択型反射手段５ａ、第２波長選択型反射手段５ｂ、第１終端部６ａおよび第２終端部６ｂにより構成される。この従来技術では、送受信用伝送路の光増幅器２ａ、２ｂの後段に接続された光分岐および波長選択型反射手段により、監視信号を対向回線に転送することを可能にしている。
【０００４】
次に、図１８は、図１７に示す構成の光増幅中継器で監視信号光を対向回線に転送し、伝送路の監視を行う場合の動作説明図である。この光増幅中継器では、一方の回線から監視信号光（λｓｖ）および主信号光（λ１〜λ４）を、光増幅器２ａを介して入力し、その後段の光分岐機能を有する第１光カプラ３ａおよび波長選択型反射手段５ａ、第２カプラ３ｂを介して他方の回線に転送して、他方の回線側で監視信号光（λｓｖ）および光グレーティングの反射率を求める。
【０００５】
【発明が解決しようとする課題】
この光増幅中継器では、光増幅器の光強度変動量と対向回線に転送される監視信号光の光強度変動量が等しくなっている。この場合には、非常に小さい出力変動しか起こさない光増幅器の障害が生じた際に、その障害を認識することができないか又は認識に長時間を要するという課題があった。更に、対向回線に折り返される監視信号光には、光増幅器の出力レベルに関する情報しか得ることができない。
【０００６】
【発明の目的】
従って、本発明の目的は、上述した従来技術の課題を解決又は軽減する高精度の光増幅中継システムを提供することである。
【０００７】
【課題を解決するための手段】
上述課題を解決するため、本発明による光増幅中継システムは、次のような特徴的な構成を有する。
【０００８】
（１）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備える光増幅中継システム。
【０００９】
（２）前記光カプラは、前記光増幅器の出力側の前記光伝送回線に配置される上記（１）の光増幅中継システム。
【００１０】
（３）前記光カプラは、前記光増幅器の入力側の前記光伝送回線に配置される上記（１）の光増幅中継システム。
【００１１】
（４）前記可変光減衰器の両側に波長選択型反射手段を配置し、該両波長選択型反射手段は、それぞれ異なる波長の光を反射して対向回線に転送する上記（１）乃至（３）の何れかの光増幅中継システム。
【００１２】
（５）前記監視信号光折返し回路は、それぞれ前記対向する光伝送回線の一方の前記光増幅器の出力側を他方の光伝送回線の前記光増幅器の入力側に転送する１対の回路で構成される上記（１）の光増幅中継システム。
【００１３】
（６）前記監視信号光折返し回路に挿入された信号光は、別の光カプラおよび波長の異なる波長選択型反射手段を介して対向光伝送回線に転送する上記（１）乃至（５）の何れかの光増幅中継システム。
【００１４】
（７）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、一つの光伝送回線の光カプラにより分岐・反射された監視信号光を対向の光伝送回線の光増幅器の出力側に光カプラを介して転送する光増幅中継システム。
【００１５】
（８）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、
前記監視信号折返し回路を前記光増幅器の入力側に設けた光増幅中継システム。
【００１６】
（９）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光増幅器の出力側にて光カプラで分岐・反射された監視信号光を、光カプラで対向の光増幅器の入力側を介して対向の光伝送回線に転送する光増幅中継システム。
【００１７】
（１０）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、各光増幅器の出力側および入力側に、それぞれ光カプラを設けて、分岐・反射された監視信号光をそれぞれ対向の光増幅器の出力側・入力側を介して対向の光伝送回線に転送する光増幅中継システム。
【００１８】
（１１）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光増幅器の出力側の光カプラにて分岐・反射された監視信号光を、光カプラを介して対向の前記光増幅器の入力側を介して対向の光伝送回線に転送するとともに、前記光増幅器の入力側にて分岐・反射された監視信号光を対向の光増幅器の出力側を介して対向の光伝送回線に転送する光増幅中継システム。
【００１９】
（１２）対向する上りおよび下り用光伝送回線にそれぞれ光増幅器が配置され、前記光伝送回線間のうち一つの光伝送回線に入力された監視信号光を光カプラを介して取り出し、波長選択型反射手段により折り返して他の光伝送回線に他の光カプラを介して転送する監視信号光折返し回路を設けた光増幅中継システムにおいて、
前記光カプラと前記波長選択型反射手段との間に配置された可変光減衰器手段と、前記光カプラと前記他の光カプラとの間に配置された光減衰手段とを備え、前記光カプラを介して前記監視信号折返し回路に挿入された信号光は、他の光カプラにより分岐し、それぞれ波長の異なる複数の波長選択型反射手段により反射して対向回線に転送する光増幅中継システム。
【００２０】
（１３）前記可変光減衰器の前後に、それぞれ波長選択型反射手段を設ける上記（７）乃至（１２）のいずれかの光増幅中継システム。
【００２１】
（１４）前記監視信号光折返し回路の中段に光アイソレータを設け、前記波長選択型反射手段に光ファイバグレーティングを使用した上記（１）乃至（１３）のいずれかの光増幅中継システム。
【００２２】
【発明の実施の形態】
以下、本発明による光増幅中継システムの各種実施形態の構成および動作を、添付図面を参照して詳細に説明する。尚、説明の便宜上、上述した従来技術の構成要素に対応する構成要素には同様の参照符号を使用することとする。
【００２３】
先ず、図１は、本発明による光増幅中継システムの第１実施形態の構成を示すブロック図である。この第１実施形態の光増幅中継システム１Ａは、上りおよび下りのそれぞれの光ファイバ伝送回線Ｌ１、Ｌ２に対応する２組（又は１対）の光増幅器、即ち上り用光増幅器２ａおよび下り用光増幅器２ｂを有する。これら２組の光増幅器２ａ、２ｂの後段には、光カプラ（又は光分岐器）３ａ、３ｂ、可変光減衰器４ａ、４ｂ、波長選択型反射手段５ａ、５ｂ、終端部６ａ、６ｂおよび固定減衰器７が設けられている。尚、本明細書で光カプラは、光を分岐および結合する機能を有する光機能素子を総称することとする。また、固定減衰器７は必須ではない。
【００２４】
光カプラ３ａ、３ｂは、それぞれ出力された主信号光および監視信号光の一部を分岐する。可変光減衰器４ａ、４ｂは、これら光カプラ３ａ、３ｂにより分岐された信号光の光強度レベルを調整する。波長選択型反射手段５ａ、５ｂは、可変光減衰器４ａ、４ｂより出力された主信号光のみを透過し、監視信号光のみを反射する。これら波長選択型反射手段５ａ、５ｂにより反射された監視信号光は、再度可変光減衰器４ａ、４ｂを通過し、更に固定減衰器７を通過して対向の光増幅器２ｂ、２ａの出力側の光カプラ３ｂ、３ａを介して対向の光ファイバ伝送回線Ｌ１、Ｌ２に送り出されるように構成されている。
【００２５】
次に、図１５は本発明による光増幅中継システム１Ａにおける監視信号光（λｓｖ）の対向回線への転送動作を示す。光増幅器２ａより出力された主信号光（λ１〜λ４）および監視信号光（λｓｖ）の一部は、光カプラ３ａにより光ファイバ伝送路より分岐される。この光カプラ３ａで分岐された主信号光（λｓｖ）および監視信号光（λ１〜λ４）は、可変光減衰器４ａを通過し、波長選択型反射手段５ａにより主信号光のみが透過され、監視信号光（λｓｖ）のみが反射される。この波長選択型反射手段５ａで反射された監視信号光（λｓｖ）は、可変光減衰器４ａを再度通過し、対向側の光増幅器２ｂの出力側に設置された光カプラ３ｂにより対向の光ファイバ伝送回線に送り出される。このとき、可変光減衰器４ａの光減衰量（対向の光ファイバ伝送回線に送り出される監視信号光のレベルを規定する）は、光増幅器２ａの状態により予め決定（例えば、励起レーザダイオードＬＤの故障数が増えると減衰量大、光増幅器入力レベルが低下すると減衰量大等）されており、端局装置に設置された光増幅中継器監視装置（図示せず）により光増幅中継器１Ａの状態を判定することが可能となっている。
【００２６】
図１６は、図１に示す光増幅中継システム１Ａの励起用ＬＤの出力状態により可変光減衰器４ａ、４ｂの光減衰量を設定する場合の対向回線に折り返される監視信号光レベル特性の１例を示す。状態Ａは、励起用ＬＤの出力が定格状態である場合の可変光減衰器４ａの光減衰量および監視信号光レベルを示している。監視信号光の減衰量は０ｄＢで、監視信号光レベルは初期状態となっている。状態Ｂは、励起用ＬＤの出力レベルが半減した場合の可変光減衰器４ａの光減衰量および監視信号光レベルを示している。監視信号光の減衰量は、初期状態に対して−３ｄＢとなっている。一方、状態Ｃは、励起用ＬＤの出力が停止した場合の可変光減衰器４ａの光減衰量および監視信号光レベルを示している。監視信号光の減衰量は、初期状態に対して−６ｄＢとなっている。これらの異なる光レベルを上述した端局装置の監視装置にて判定することにより、光増幅中継システム１Ａ内の励起用ＬＤの状態を監視することが可能となる。
【００２７】
次に、図２は、本発明による光増幅中継システムの第２実施形態の構成図である。この第２実施形態の光増幅中継システム１Ｂは、図１に示す第１実施形態の全ての構成素子に加えて、可変光減衰器４ａおよび４ｂの前後に、それぞれ波長選択型反射手段５ａ−５ｃおよび５ｂ−５ｄを有する。これら２個の波長選択型反射手段５ａ−５ｃ、５ｂ−５ｄは、それぞれ異なる波長の監視信号光を反射して対向回線に転送する。転送された２波長の監視信号光のレベルをそれぞれ判定することで、可変光減衰器の減衰量の高精度測定を可能にする。
【００２８】
図３は、本発明による光増幅中継システムの第３実施形態の構成図である。この光増幅中継システム１Ｃは、監視信号光折返し回路を、上りおよび下りの光増幅器２ａ、２ｂの後段（出力側）でなく、入力側に設ける。その他の構成は、図１に示す第１実施形態の光増幅中継システム１Ａと同様である。
【００２９】
図４は、本発明による光増幅中継システムの第４実施形態の構成図である。この光増幅中継システム１Ｄは、上述した第２および第３実施形態の光増幅中継システム１Ｂおよび１Ｃの組み合わせであり、監視信号光折返し回路を、上りおよび下りの光増幅器２ａ、２ｂの入力側に設け、更に可変光減衰器４ａおよび４ｂの前後に波長選択型反射手段５ａ−５ｃおよび５ｂ−５ｄを設ける。
【００３０】
次に、図５は、本発明による光増幅中継システムの第５実施形態の構成図である。この光増幅中継システム１Ｅは、光増幅器２ａ、２ｂの出力側にて分岐・反射された監視信号光を、光カプラ３ｄ、３ｃにより対向する光増幅器２ｂ、２ａの入力側を介して対向の光ファイバ伝送回線に転送する。
【００３１】
図６は、本発明による光増幅中継システムの第６実施形態の構成図である。この光増幅中継システム１Ｆは、図５の光増幅中継システム１Ｅと同様に光カプラ３ｃ、３ｄにより光増幅器２ａ、２ｂの出力側にて分岐・反射された監視信号光を対向の光増幅器２ｂ、２ａの入力側を介して対向の光ファイバ伝送回線Ｌ１、Ｌ２に転送し、更に図２と同様に可変光減衰器４ａ、４ｂの前後に波長選択型反射手段５ａ−５ｃ、５ｂ−５ｄを有する。
【００３２】
次に、図７は、本発明による光増幅中継システムの第７実施形態の構成図である。この光増幅中継システム１Ｇは、各光増幅器２ａ、２ｂの出力側および入力側に、それぞれ光カプラ３ａ−３ｃ、３ｂ−３ｄを設けて、分岐・反射された監視信号光をそれぞれ対向の光増幅器２ｂ、２ａの出力側・入力側を介して対向の光ファイバ伝送回線Ｌ１、Ｌ２に転送する。
【００３３】
図８は、本発明による光増幅中継システムの第８実施形態の構成図である。この光増幅中継システム１Ｈは、図７の光増幅中継システム１Ｇと同様に光増幅器２ａ、２ｂの出力側・入力側にそれぞれ光カプラ３ａ〜３ｄを設けて分岐・反射された監視信号光をそれぞれ対向の光増幅器２ｂ、２ａの出力側・入力側を介して対向の光ファイバ伝送回線Ｌ１、Ｌ２に転送する。また、図２と同様に可変光減衰器４ａ〜４ｄの前後に、それぞれ波長選択型反射手段５ａ−５ｅ、５ｂ−５ｆ、５ｃ−５ｇ、５ｄ−５ｈを設ける。
【００３４】
更に、図９は、本発明による光増幅中継システムの第９実施形態の構成図である。この光増幅中継システム１Ｉは、光増幅器２ａ、２ｂの出力側の光カプラ（分岐器）３ａ、３ｂにて分岐・反射された監視信号光を、対向の光ファイバ伝送回線Ｌ１、Ｌ２の光増幅器２ｂ、２ａの入力側に光カプラ３ｄ、３ｃを介して転送し、光増幅器２ａ、２ｂの入力側の光カプラ３ｃ、３ｄを介して分岐・反射された監視信号光を対向の光ファイバ伝送回線Ｌ１、Ｌ２の光増幅器２ｂ、２ａの出力側に光カプラ３ｂ、３ａを介して転送する。
【００３５】
図１０は、本発明による光増幅中継システムの第１０実施形態の構成図である。この光増幅中継システム１Ｊは、光増幅器２ａ、２ｂの出力側にて分岐・反射された監視信号光を対向の光増幅器の入力側を介して対向の光ファイバ伝送回線に転送し、光増幅器２ｂ、２ａの入力側にて分岐・反射された監視信号光を対向の光増幅器の出力側を介して対向の光ファイバ伝送回線Ｌ１、Ｌ２に転送する。更に、可変光減衰器４ａ〜４ｄの前後に、それぞれ波長選択型反射手段５ａ−５ｃ、５ｂ−５ｄ、５ｅ−５ｇ、５ｆ−５ｈを有する。
【００３６】
また、図１１は、本発明による光増幅中継システムの第１１実施形態の構成図である。この光増幅中継システム１Ｋは、光カプラ（分岐器）３ａ、３ｂを介して監視信号折返し回路に挿入された信号光は、別の光カプラ（分岐器）３ｃ、３ｄにより取り出し、それぞれ波長の異なる複数の波長選択型反射手段５ａ、５ｂにより反射して対向回線Ｌ１、Ｌ２に転送される。これにより、光増幅中継システムの複数の情報を監視することが可能である。
【００３７】
図１２は、本発明による光増幅中継システムの第１２実施形態の構成図である。この光増幅中継システム１Ｌは、図１１と同様に、光カプラ３ａ、３ｂを介して監視信号折返し回路に挿入された信号光は、光カプラ３ｃ、３ｄによりそれぞれ波長の異なる波長選択型反射手段５ａ、５ｂにより対向回線Ｌ１、Ｌ２に転送されるので、光増幅中継システムの複数の情報を監視することが可能である。更に、光カプラ（分岐器）３ｃ、３ｄの前段にそれぞれ波長選択型反射手段５ｃ、５ｄを設けることにより、光減衰量レベルを高精度に監視することが可能である。
【００３８】
図１３は、本発明による光増幅中継システムの第１３実施形態の構成図である。この光増幅中継システム１Ｍは、光増幅器２ａ、２ｂの出力側にて光カプラ（分岐器）３ａ、３ｂで分岐・反射された監視信号光を、光カプラ３ｃ、３ｄで対向の光増幅器２ｂ、２ａの入力側を介して対向の光ファイバ伝送回線Ｌ１、Ｌ２に転送する。また、可変光減衰器４ａ、４ｂの前後に波長選択型反射手段５ａ−５ｃ、５ｂ−５ｄを有し、光増幅器２ａ、２ｂに入力される信号光の一部が光増幅器２ａ、２ｂの入力側の光カプラ（分岐器）により分岐され、ＰＤ（フォトダイオード）に入力される。これらＰＤのレベルによって、可変光減衰器４ａ、４ｂの光減衰量を制御する。
【００３９】
最後に、図１４は、本発明による光増幅中継システムの第１４実施形態の構成図である。この光増幅中継システム１Ｎは、監視信号光折返し回路の中段に光アイソレータ８ａ、８ｂを設け、波長選択型反射手段５ａ、５ｂに光ファイバグレーティングを適用し、また光カプラ３ａ〜３ｄを使用する。
【００４０】
以上、本発明による光増幅中継システムの各種実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４１】
【発明の効果】
以上の説明から理解される如く、本発明の光増幅中継システムによると、次の如き実用上の顕著な効果が得られる。即ち、対向する上りおよび下りの光ファイバ伝送回線と、その両端に設置された端局装置と、光ファイバ伝送回線の間に複数の多段接続された光増幅中継器を有する光伝送システムにおいて、各光増幅中継器に設置された監視信号光折返し回路に、可変光減衰器を設けることにより、対向回線に折り返される監視信号光レベルを、監視したい光増幅中継器の状態により簡単且つ高精度で判定可能である。また、光増幅中継器の複数の情報を監視することも可能である。
【図面の簡単な説明】
【図１】本発明による光増幅中継システムの第１実施形態の構成図である。
【図２】本発明による光増幅中継システムの第２実施形態の構成図である。
【図３】本発明による光増幅中継システムの第３実施形態の構成図である。
【図４】本発明による光増幅中継システムの第４実施形態の構成図である。
【図５】本発明による光増幅中継システムの第５実施形態の構成図である。
【図６】本発明による光増幅中継システムの第６実施形態の構成図である。
【図７】本発明による光増幅中継システムの第７実施形態の構成図である。
【図８】本発明による光増幅中継システムの第８実施形態の構成図である。
【図９】本発明による光増幅中継システムの第９実施形態の構成図である。
【図１０】本発明による光増幅中継システムの第１０実施形態の構成図である。
【図１１】本発明による光増幅中継システムの第１１実施形態の構成図である。
【図１２】本発明による光増幅中継システムの第１２実施形態の構成図である。
【図１３】本発明による光中継増幅システムの第１３実施形態の構成図である。
【図１４】本発明による光増幅中継システムの第１４実施形態の構成図である。
【図１５】本発明による光増幅中継システムの監視信号光の対向回線への転送動作説明図である。
【図１６】本発明による光増幅中継システムの監視信号光レベル特性の１例である。
【図１７】従来の光増幅中継器の構成図である。
【図１８】図１７に示す光増幅中継器の監視信号光の転送動作説明図である。
【符号の説明】
１Ａ〜１Ｎ      光増幅中継システム
２ａ、２ｂ      光増幅器
３ａ〜３ｄ      光カプラ
４ａ〜４ｄ      光可変減衰器
５ａ〜５ｈ      波長選択型反射手段
Ｌ１、Ｌ２      光ファイバ伝送回線
【図１】
0003608521.tif 000002
【図２】
0003608521.tif 000003
【図３】
0003608521.tif 000004
【図４】
0003608521.tif 000005
【図５】
0003608521.tif 000006
【図６】
0003608521.tif 000007
【図７】
0003608521.tif 000008
【図８】
0003608521.tif 000009
【図９】
0003608521.tif 000010
【図１０】
0003608521.tif 000011
【図１１】
0003608521.tif 000012
【図１２】
0003608521.tif 000013
【図１３】
0003608521.tif 000014
【図１４】
0003608521.tif 000015
【図１５】
0003608521.tif 000016
【図１６】
0003608521.tif 000017
【図１７】
0003608521.tif 000018
【図１８】
0003608521.tif 000019